(57)【特許請求の範囲】
【請求項１】
本体と、前記本体の天面に設けたトッププレートと、前記トッププレート上に被加熱物を載置して加熱する複数の加熱部と、前記トッププレートに配し前記複数の加熱部にそれぞれ対応する複数の操作部とを備え、前記各操作部には、前記各加熱部への加熱条件を入力する加熱入切キーを含む複数の入力キーを有し、前記複数の入力キーのうちの加熱入切キーが単独で一定時間継続してキー押下された場合には加熱停止し、前記複数の入力キーのうちの前記加熱キー以外の前記入力キーが単独で一定時間継続してキー押下された場合には加熱継続とし、前記加熱停止時にはキー異常表示を点灯し、前記加熱継続時にはキー異常表示を点滅する加熱調理器。
【請求項２】
本体の天面に配した操作部は、静電容量式タッチパネルキーの構成とした請求項１に記載の加熱調理器。
【発明の詳細な説明】
【技術分野】
【０００１】
本発明は、特に、キッチンなどのキャビネットに組み込んで使用する一般家庭用の加熱調理器に関するものである。
【背景技術】
【０００２】
従来、この種の加熱調理器としては、本体の天面に配する操作キー（静電容量式）と本体の側面に配する操作キーを併せ持ち、天面に配する操作キーをバックアップ可能な構成とするものが知られている（例えば、特許文献１参照）。
【０００３】
これは、図６に示すように、本体２０を使用する場合は、鍋（図示せず）を加熱部２１に載置した後、電源スイッチ２４により電源をＯＮにし、次いで天面操作部２３の加熱入切キーに触れることにより、誘導加熱コイル２２が通電され加熱が開始される。このとき、例えば、加熱中に天面操作キーが異常状態（キーの多重押し、またはキーの単独押しで一定時間入力が継続した状態）になった場合には、安全性を配慮し加熱を停止する。また、鍋からのふきこぼれ、あるいは水の付着などで天面操作無効の状態になった場合には、側面に配する操作部２５でキー操作のバックアップを可能とする構成である。
【特許文献１】特開２００３−２７９０５５号公報
【発明の開示】
【発明が解決しようとする課題】
【０００４】
しかしながら、前記従来の構成では、キー操作が他の加熱部２１に連動しているため、例えば、２口の加熱部２１の双方を加熱している際に天面に配したキーに異常が生じた場合には、いずれの加熱部２１も加熱を停止してしまうものであり、特に、タイマー設定による調理時の調理物のふきこぼれや不用意な水の付着などにより加熱が全面的に停止してしまうという課題を有していた。
【０００５】
本発明は、前記従来の課題を解決するもので、キー異常が生じても安全性と使用勝手の向上を効果的に図ることができる加熱調理器を提供することを目的とする。
【課題を解決するための手段】
【０００６】
前記従来の課題を解決するために、本発明の加熱調理器は、トッププレートに配し複数の加熱部にそれぞれ対応する複数の操作部には、各加熱部への加熱条件を入力する加熱入切キーを含む複数の入力キーを有し、複数の入力キーのうちの加熱入切キーが単独で一定時間継続してキー押下された場合には加熱停止し、前記複数の入力キーのうちの前記加熱キー以外の前記入力キーが単独で一定時間継続してキー押下された場合には加熱継続とし、前記加熱停止時にはキー異常表示を点灯し、前記加熱継続時にはキー異常表示を点滅するようにしたものである。
【０００７】
これにより、調理中にキー異常が生じても容易に加熱を停止しないようにし、かつ加熱入切キーを含むキー異常時には加熱を停止させる構成とすることができ、使用者に対する安全性と使用勝手の向上を効果的に図ることができる。
【発明の効果】
【０００８】
本発明の加熱調理器は、キー異常が生じても安全性と使用勝手の向上を効果的に図ることができる。
【発明を実施するための最良の形態】
【０００９】
第１の発明は、本体と、前記本体の天面に設けたトッププレートと、前記トッププレート上に被加熱物を載置して加熱する複数の加熱部と、前記トッププレートに配し前記複数の加熱部にそれぞれ対応する複数の操作部とを備え、前記各操作部には、前記各加熱部への加熱条件を入力する加熱入切キーを含む複数の入力キーを有し、前記複数の入力キーのうちの加熱入切キーが単独で一定時間継続してキー押下された場合には加熱停止し、前記複数の入力キーのうちの前記加熱キー以外の前記入力キーが単独で一定時間継続してキー押下された場合には加熱継続とし、前記加熱停止時にはキー異常表示を点灯し、前記加熱継続時にはキー異常表示を点滅する加熱調理器とすることにより、調理中にキー異常が生じても容易に加熱を停止しないようにし、かつ加熱入切キーを含むキー異常時には加熱を停止させる構成とすることができ、使用者に対する安全性と使用勝手の向上を効果的に図ることができる。
【００１５】
また、キー異常による加熱停止時にはキー異常表示を点灯し、キー異常による加熱継続時にはキー異常表示を点滅することにより、キー異常が生じた際に、通電に関するキー異常か、加熱入切キー以外のキー異常かを確認することができるので、キー異常を特定し易く、キー異常時の対処を行い易くすることができる。
【００１７】
第２の発明は、特に、第１の発明において、本体の天面に配した操作部は、静電容量式タッチパネルキーの構成としたことにより、多重押しまたは単独押しを一定時間押下した状態などの天面に備わるタッチパネルに対する不用意なキー入力が行われやすい構造に対するキー異常時でも、安全性を高めつつ使用勝手を向上することができ、また、ふきこぼれや水の付着などによるキー異常時の対処（操作部分の汚れを拭き取るなど）をし易くすることができる。また、キッチンに対するスタイリッシュな外観デザインを実現あるいは向上することができる。
【００２０】
以下、本発明の実施の形態について、図面を参照しながら説明する。なお、この実施の形態によって本発明が限定されるものではない。
【００２１】
（実施の形態）
図１〜図５は、本発明の実施の形態における加熱調理器を示すものである。
【００２２】
図１において、調理器の本体１はキッチンキャビネット２のワークトップ３に上から落とし込んで組み込まれている。本体１の上面は結晶化ガラスを素材としたトッププレート４の周囲をプレート枠１３で囲んで覆われている。また、図２に示すように、トッププレート４には、誘導加熱手段の加熱部５ａ、５ｂ、および電気抵抗発熱式加熱手段（ラジェントヒーター）の加熱部６を配置し、トッププレート４を構成する部材内前部には、加熱部５ａ、５ｂ、６に対応する操作部７、１１、１０が配されている。操作部７、１０、１１は、トッププレート４に印刷された電極部を触れることで電気的容量が変化することに反応する静電容量式タッチパネルキーの構成とし、天面に凹凸がないため手入れなどの取扱いがし易い平面接触式を実現している。
【００２３】
本体１内部には、加熱部５ａ、５ｂに対応する誘導加熱手段を構成する加熱コイル（図示せず）と、加熱部６対応する電気抵抗発熱式加熱手段であるラジェントヒーター８が配されている。加熱コイルの電源回路である通電制御回路（図示せず）が加熱コイルの下方に配され、回路ユニット（図示せず）に対応した前方で操作回路ユニット下の位置にそれぞれ冷却ファン（図示せず）を配置し、その下方の本体１底面には吸気口（図示せず）がある。また、プレート枠１３の右前角部には、プレート枠１３で囲った電源スイッチ９が配されている。
【００２４】
また、加熱部５ａ、５ｂに対応する操作部７、１１には、図３および図４に示すように加熱部５ａ、５ｂに通電するための加熱入切キー７ａ、１１ａの他、加熱部の火力を調節するための火力アップキー７ｂ、１１ｂおよび火力ダウンキー７ｃ、１１ｃが配置され、その他、調理時間を設定するためのタイマー時間設定キー７ｄ、１１ｄ、分設定キー７ｅ、１１ｅ、またオート調理キー７ｆ、揚げ物キー１１ｆ、取消キー７ｇ、１１ｇなどを配置する。
【００２５】
また、電気抵抗発熱式加熱手段であるラジェントヒーター８に対応する操作部１０には、図５に示すように、加熱入切キー１０ａと、火力を調節する火力アップキー１０ｂと、火力ダウンキー１０ｃとを備えた構成となっている。
【００２６】
また、図２に示すように、加熱部５ａ、５ｂ、６に対応した操作部７、１１、１０に近接して、それぞれの入力状態を示す表示部１２ａ、１２ｂ、１２ｃを備える。表示部１２ａ、１２ｂ、１２ｃはＬＣＤにより入力状態やタイマー時間、設定温度などを表示するも
のである。
【００２７】
また、表示部１２ａ、１２ｂ、１２ｃにはＬＣＤ表示内容が視認しやすいようバックライトを設けてあり、電源スイッチ９の入り切りに連動して、加熱コイルおよびラジェントヒーター８に対応した複数の表示部１２ａ、１２ｂ、１２ｃのＬＣＤバックライトが点灯および消灯する。
【００２８】
なお、本実施の形態における加熱調理器は、本体１の上面に配する操作部以外には、従来例のようなバックアップ可能な操作部を必要としない構成である。
【００２９】
以上のように構成された加熱調理器について、以下その動作、作用を説明する。
【００３０】
まず、加熱部５ａに対応する操作部７の加熱入切キー７ａの操作後、加熱部５ａが加熱することで調理を開始し、調理中に不用意なキーの押下（例えば、操作部７の火力アップキー７ｂ、火力ダウンキー７ｃあるいはタイマー時間設定キー７ｄなどが多重押しの状態、あるいは火力アップキー７ｂなどの単独キーを一定時間（３秒間など）継続して押下されたままの状態）時、加熱を停止させず、表示部１２ａ、１２ｂ、１２ｃに異常表示（例えば「Ｕ１６」のようなエラー表示）を点滅させるものである。このように、不用意な操作が行われやすい構成の天面に配するキーにおいても、調理中の加熱が容易に切れず使用者にキー異常の状態を知らせることができるので、特にオート調理や、タイマー設定による調理のように時間管理を要する調理においては、調理動作を容易に停止させない構成とすることで、使い勝手を向上することができる。
【００３１】
また、加熱部５ａに対応する操作部７の加熱入切キー７ａの操作後、加熱部５ａが加熱することで調理を開始し、調理中の不用意なキーの押下、例えば、操作部７の火力アップキー７ｂ、火力ダウンキー７ｃあるいはタイマー時間設定キー７ｄなどのキーが一定時間（例えば３秒間）継続して押下されたままの状態、あるいは多重押しの状態に対し、加熱部５ａに対応する加熱入切キー７ａを含むキー押下では、必ず加熱を停止するとともに、この状態で加熱入切キー７ａ押下が継続されたままの間は、各表示部１２ａ、１２ｂ、１２ｃの内の該当加熱部に対応する表示部（ここでは、加熱部５ａに該当するので表示部１２ａ）に異常表示（「Ｕ１６」のようなエラー表示）を点灯させる。このように、加熱通電の入力の入り切りを行うキーにおいては、必ず加熱を停止するようにすることで、調理時の安全性を確保することができる。また、キー異常時の表示を、加熱継続時のキー異常の場合には点滅、加熱停止時のキー異常の場合には点灯とすることで、特に、天面操作が静電容量式タッチパネルキーにおいては、ふきこぼれ、あるいは不用意な水の付着によるキー異常の際に、異常該当キーを特定し易く、ふきこぼれによって汚れたキーの上面を拭き取るなどの処置がし易くなる。
【００３２】
また、図２に示すように、加熱部５ａに対応する操作部７、加熱部５ｂに対応する操作部１１、および加熱部６に対応する操作部１０のように、それぞれの加熱部毎に独立させてキー検知を行うことで、例えば、３口全てを加熱して調理を行っている際に、加熱入切キー７ａ、１１ａ、１０ｂを含むキー異常が生じた際にも、キー異常が生じた操作部に該当する加熱部のみが加熱停止する構成となるので、調理に対する使用勝手を向上することができる。また、加熱部毎に独立させてキー検知を行うので、例えば、加熱部５ａに対応する操作部７で、加熱入切キー７ａ以外のキーの単独押下によるキー異常時に、加熱部５ｂに対応する操作部１１で、単独キー押下を行った際には多重押しとは見なさず操作部１１の使用を可能とすることができる。
【００３３】
また、キー異常によって該当表示部に異常表示を行い、同時に報知を行うと共に加熱停止することで、キー異常による加熱停止状態であることを使用者に分かりやすく知らせる
ことができる。
【００３４】
また、加熱部５ａ、５ｂ、および６に対応する操作部７、１１、および１０の加熱入切キー７ａ、１１ａ、１０ａの操作による調理中に、加熱入切キーを含むキー異常で加熱が停止した後、キー異常状態が解除されない場合（「Ｕ１６」のようなエラー表示が出ている間）においては、該当加熱部の加熱入切キーを押下してもキー操作は無効状態となって再び加熱通電動作することを禁止し、キー異常が解除されれば該当加熱部の該当操作部によって再び操作可能な状態とすることで、より一層安全性を高めることができる。
【００３５】
また、操作部のキー構成を全て本体１の天面に配した静電容量式タッチパネルキーの構成とすることで、天面に備わるタッチパネルの不用意なキー入力時の使用勝手と安全性を高めるとともに、キッチンに対するスタイリッシュな外観デザインを実現あるいは向上することができる。
【００３６】
また、鍋などの被加熱物、また小物金属による静電容量式タッチパネルキーへの異物接触が生じた場合にも上記同様に、入力キーによってキー異常検知処理条件を区別して加熱継続あるいは加熱停止動作を行うことで、被加熱をずらすなどしても容易に加熱停止しない構成とすることができ、調理性を向上することができる。
【００３７】
なお、電気抵抗発熱式加熱手段は、天面以外に少なくとも１つ設けた構成、例えば、キッチンのキャビネットに組み込んで使用するロースターを有した構成としてもよく、この場合においても上述したと同様のキー操作を可能にするものとする。
【産業上の利用可能性】
【００３８】
以上のように、本発明にかかる加熱調理器は、キー異常が生じても安全性と使用勝手の向上を効果的に図ることができるので、誘導加熱調理器や電気加熱調理器などに適用できる。
【図面の簡単な説明】
【００３９】
【図１】本発明の実施の形態における加熱調理器の斜視図
【図２】同加熱調理器の平面図
【図３】同加熱調理器における誘導加熱操作部の拡大平面図
【図４】同加熱調理器における他の誘導加熱操作部の拡大平面図
【図５】同加熱調理器におけるラジェントヒーター操作部の拡大平面図
【図６】従来例における加熱調理器の斜視図
【符号の説明】
【００４０】
１  本体
４  トッププレート
５ａ、５ｂ、６  加熱部
７、１０、１１  操作部
７ａ、１０ａ、１１ａ  加熱入切キー
８  ラジェントヒーター
１２ａ、１２ｂ、１２ｃ  表示部
【図１】
0004821841.tif 000002
【図２】
0004821841.tif 000003
【図３】
0004821841.tif 000004
【図４】
0004821841.tif 000005
【図５】
0004821841.tif 000006
【図６】
0004821841.tif 000007